(57)【要約】モニター１ａを備えた端末装置１によって映像や音声を視聴するテレビ放送視聴システムであって、電波を介して放送される放送コンテンツを受信するテレビチューナー部１１と、ＩＰ網４を通じて配信されるネットコンテンツを取得するネットコンテンツ取得部１４と、視聴中の放送コンテンツ内におけるＣＭ部分を検出するＣＭ検出部１２と、ＣＭが検出されている間、テレビ放送用の周波数が割り当てられていないテレビチャンネルにネットコンテンツを割り当てるチャンネル管理部１３と、選択されたテレビチャンネルに割り当てられた放送コンテンツ又はネットコンテンツをモニター１ａにより出力する合成出力部１８とを備える。  これにより、ＣＭ時間中に視聴可能な有意義な情報を視聴できるようにし、ザッピング視聴に伴うチャンネル切替えの頻度を低減させることができる。【特許請求の範囲】
【請求項１】
表示部を備えた端末装置によって映像や音声を視聴するテレビ放送視聴システムであって、
電波を介して放送される放送コンテンツを受信するテレビチューナー部と
ＩＰ網を通じて配信されるネットコンテンツを取得するネットコンテンツ取得部と、
視聴中の前記放送コンテンツ内におけるＣＭ部分を検出するＣＭ検出部と、
前記ＣＭ検出部によりＣＭが検出されている間、前記テレビ放送用の周波数が割り当てられていないテレビチャンネルに前記ネットコンテンツを割り当てるチャンネル管理部と、
選択されたテレビチャンネルに割り当てられた前記放送コンテンツ又は前記ネットコンテンツを前記表示部により出力する合成出力部と
を備えることを特徴とするテレビ放送視聴システム。
【請求項２】
前記チャンネル管理部は、ＣＭが検出されたテレビチャンネルに隣接するテレビチャンネルに前記ネットコンテンツを割り当てることを特徴とする請求項１に記載のテレビ放送視聴システム。
【請求項３】
一つのテレビチャンネルに対する注視時間を測定し、注視時間が所定時間長よりも短い場合に、ザッピング視聴であると判定するザッピング判定部をさらに有し、
前記ＣＭ検出部は、ザッピング視聴でないと判定されたときに、当該テレビチャンネルにおけるＣＭの検出を行い、
前記チャンネル管理部は、当該テレビチャンネルにおけるＣＭの放送時間に合わせて前記ネットコンテンツの割り当てを行う
ことを特徴とする請求項１に記載のテレビ放送視聴システム。
【請求項４】
表示部を備えた端末装置によって映像や音声を視聴するテレビ放送視聴システムであって、
ＩＰ網を通じての要求に応じて配信されたネットコンテンツを取得するネットコンテンツ取得部と、
前記ネットコンテンツを前記表示部により出力する合成出力部と、
前記ＩＰ網を通じて、前記要求に含まれる前記ネットコンテンツに対するユーザーの視聴操作を取得する視聴操作取得部と、
複数の前記端末装置における前記視聴操作を集計し、前記ネットコンテンツの価値評価を行う評価集計部と
を備えることを特徴とするテレビ放送視聴システム。
【請求項５】
前記視聴操作取得部は、前記ネットコンテンツの再生開始、再生停止、早送り及び巻き戻し等の該ネットコンテンツの再生方向や再生速度の変化点を前記視聴操作として取得し、
前記評価集計部は、前記変化点の分布を集計し、前記価値評価を行う
ことを特徴とする請求項４に記載のテレビ放送視聴システム。
【請求項６】
表示部を備えた端末装置によって映像や音声を視聴するテレビ放送視聴方法であって、
電波を介して放送される放送コンテンツを受信するとともに、ＩＰ網を通じて配信されるネットコンテンツを取得するステップ（１）と、
視聴中の前記放送コンテンツ内におけるＣＭ部分を検出するステップ（２）と、
ＣＭが検出されている間、前記テレビ放送用の周波数が割り当てられていないテレビチャンネルに前記ネットコンテンツを割り当てるとともに、選択されたテレビチャンネルに割り当てられた前記放送コンテンツ又は前記ネットコンテンツを前記表示部により出力するステップ（３）と
を備えることを特徴とするテレビ放送視聴方法。
【請求項７】
前記ステップ（３）では、ＣＭが検出されたテレビチャンネルに隣接するテレビチャンネルに前記ネットコンテンツを割り当てることを特徴とする請求項６に記載のテレビ放送視聴方法。
【請求項８】
前記ステップ（２）では、一つのテレビチャンネルに対する注視時間を測定し、注視時間が所定時間長よりも短い場合に、ザッピング視聴であると判定し、ザッピング視聴でないと判定されたときに、当該テレビチャンネルにおけるＣＭの検出を行い、
前記ステップ（３）では、当該テレビチャンネルにおけるＣＭの放送時間に合わせて前記ネットコンテンツの割り当てを行う
ことを特徴とする請求項６に記載のテレビ放送視聴方法。
【請求項９】
表示部を備えた端末装置によって映像や音声を視聴するテレビ放送視聴方法であって、
ＩＰ網を通じてネットコンテンツの配信を要求し、該要求に応じて配信されたネットコンテンツを取得し、該ネットコンテンツを前記表示部により出力するとともに、前記ＩＰ網を通じて、前記配信の要求に含まれる前記ネットコンテンツに対するユーザーの視聴操作を視聴操作取得部によって取得するステップ（１）と、
複数の前記端末装置における前記視聴操作を評価集計部で集計し、該評価集計部によって前記ネットコンテンツの価値評価を行うステップ（２）と
を備えることを特徴とするテレビ放送視聴方法。
【請求項１０】
前記ステップ（１）において、視聴操作取得部は、前記ネットコンテンツの再生開始、再生停止、早送り及び巻き戻し等の該ネットコンテンツの再生方向や再生速度の変化点を前記視聴操作として取得し、
前記ステップ（２）において、評価集計部は、前記変化点の分布を集計し、前記価値評価を行う
ことを特徴とする請求項９に記載のテレビ放送視聴方法。
【発明の詳細な説明】
【技術分野】
【０００１】  本発明は、地上波放送や衛星放送など、電波を介して放送される放送コンテンツと、インターネット等のＩＰ網を通じて配信されるネットコンテンツとを融合させて出力するためのテレビ放送視聴システム及びテレビ放送視聴方法に関する。
【背景技術】
【０００２】  従来、地上波放送や衛星放送等は、専用の受像機により放送電波を受信し、映像や音声を出力して、視聴している。一方、インターネットの発達により、インターネットを通じてＷｅｂサイトの閲覧や、ストリーミングによる映像コンテンツの配信が可能となっている。【０００３】  ところで、上記放送コンテンツは、放送局から一方的に放送される電波により配信されるものであることから、受像機側ではこの放送コンテンツを受動的に視聴することしかできない。その一方で、インターネットを通じて配信されるコンテンツは、双方向通信により種々のサービスの提供が可能である。【０００４】  このような事情に鑑み、従来より、ケーブルテレビ等の有線テレビ放送網から提供されるテレビ映像信号を、該有線テレビ放送網を通じてインターネットから配信される配信情報に重ね合わせ（スーパーインポーズ）して表示する技術が提案されている（例えば、特許文献１）。【０００５】  しかしながら、従来よりテレビ放送の視聴においてユーザーは、番組中に挿入されるＣＭ中に他のチャンネルに切替えるいわゆるザッピング視聴を行う傾向にあり、上述したテレビ放送とインターネット配信とを重ね合わせて視聴するシステムにおいても、同様な傾向が生じる得るという問題がある。【０００６】  このザッピング視聴では、それまで見ていたチャンネルのＣＭ放送時間だけ他のチャンネルを見ようとする場合が多いため、ユーザーは、元のチャンネルでＣＭが終了したかどうか確認しつつ他のチャンネルを視聴しなければならず、他のチャンネルとそれまで見ていたチャンネルとの間における頻繁なチャンネル切替えをユーザーに余儀なくさせるという問題があった。
【特許文献１】特開２００２−１７１４５８号公報
【発明の開示】
【０００７】  そこで、本発明は以上の点に鑑みてなされたもので、番組中のＣＭ放送とリンクした番組をＩＰ網経由で配信することによって、ＣＭ時間中に視聴可能な有意義な情報を視聴できるようにし、ザッピング視聴に伴うチャンネル切替えの頻度を低減し得るテレビ放送視聴システム及びテレビ放送視聴方法を提供することをその課題とする。
【０００８】  上記課題を解決するために、本発明は、表示部を備えた端末装置によって映像や音声を視聴する際、電波を介して放送される放送コンテンツを受信するとともに、ＩＰ網を通じて配信されるネットコンテンツを取得し、視聴中の放送コンテンツ内におけるＣＭ部分を検出し、ＣＭが検出されている間、テレビ放送用の周波数が割り当てられていないテレビチャンネルにネットコンテンツを割り当てるとともに、選択されたテレビチャンネルに割り当てられた放送コンテンツ又はネットコンテンツを表示部により出力する。
【０００９】  このような本発明によれば、テレビ放送中のＣＭ放送時間に対応させて、テレビ放送用の周波数が割り当てられていないチャンネルにおいてＣＭ時間中に視聴可能な時間長の有意義な情報を配信することができ、ザッピング視聴によるチャンネル切替え頻度を低減させることができる。
【００１０】  上記発明では、ＣＭが検出されたテレビチャンネルに隣接するテレビチャンネルにネットコンテンツを割り当てることが好ましい。この場合には、ＣＭ放送中、チャンネルを一つずらすだけで上述した有意義な情報を視聴することができ、チャンネル切替え頻度をより低減させることができる。
【００１１】  上記発明では、一つのテレビチャンネルに対する注視時間を測定し、注視時間が所定時間長よりも短い場合に、ザッピング視聴であると判定し、ザッピング視聴でないと判定されたときに、当該テレビチャンネルにおけるＣＭの検出を行い、当該テレビチャンネルにおけるＣＭの放送時間に合わせてネットコンテンツの割り当てを行うことが好ましい。この場合には、所定時間以上注視していたチャンネルを主チャンネルと判断し、この主チャンネルにおいてＣＭが放送された場合に、この主チャンネルを基準とした時間帯に上記有意義な情報の配信を行うことができ、ザッピングのチャンネル切替え中に放送されていたＣＭが基準とされて不適当なタイミングで有意義な情報の配信が行われるのを防止することができる。
【００１２】  また、第２の発明は、表示部を備えた端末装置によって映像や音声を視聴する際、ＩＰ網を通じての配信を要求し、該要求に応じて配信されたネットコンテンツを取得し、該ネットコンテンツを前記表示部により出力するとともに、前記ＩＰ網を通じて、前記ネットコンテンツの配信を要求し、該要求に含まれる前記ネットコンテンツに対するユーザーの視聴操作を視聴操作取得部によって取得し、複数の前記端末装置における前記視聴操作を評価集計部で集計し、該評価集計部によって前記ネットコンテンツの価値評価を行う。
【００１３】  このような発明によれば、ユーザーがコンテンツの視聴時に行う操作には、ユーザーの趣味・嗜好が直接且つ詳細に反映されることから、これを取得することにより、より正確なコンテンツの価値評価を行うことができる。
【００１４】  本発明において、視聴操作取得部は、前記ネットコンテンツの再生開始、再生停止、早送り及び巻き戻し等の該ネットコンテンツの再生方向や再生速度の変化点を前記視聴操作として取得し、評価集計部は、前記変化点の分布を集計し、前記価値評価を行う。
【００１５】  このように、ネットコンテンツの再生方向や再生速度の変化点を集計し、その分布を算出することによって、巻き戻し操作により繰り返し視聴された部分は価値が高く、逆に早送り操作により十分に視聴されない部分は価値が低いなど、きめ細かいコンテンツ評価を実現することができる。
【図面の簡単な説明】
【００１６】
【図１】第１実施形態に係るテレビ放送視聴システムの全体構成を示すブロック図である。
【図２】第１実施形態に係るテレビチャンネルへのＣＭ時間長ネット番組の割付けを示す説明図である。
【図３】第１実施形態に係るテレビ放送視聴システムの動作を示すフローチャート図である。
【図４】（ａ）は、第２実施形態に係るテレビ放送視聴システムのチャンネル管理部１３の構成を示すブロック図であり、（ｂ）は、第２実施形態に係るテレビ放送視聴システムの動作を示すフローチャート図である。
【図５】第２実施形態に係るテレビチャンネルへのＣＭ時間長ネット番組の割付けを示す説明図である。
【図６】（ａ）は、第２実施形態に係るコンテンツサーバの内部構成を示すブロック図であり、（ｂ）は、第２実施形態に係るクイズ番組視聴方法の手順を示すフローチャート図である。
【図７】第２実施形態に係るコンテンツサーバ５における視聴率報知番組配信のための構成を示すブロック図である。
【図８】第２実施形態に係る視聴率報知番組の視聴方法の手順を示すフローチャート図である。
【図９】第２実施形態に係る報知用コンテンツ２１１の構成を示す説明図である。
【図１０】第２実施形態に係るポップアップウィンドウの動作を示す説明図である。
【図１１】第３実施形態に係るテレビ放送視聴システムのチャンネル管理部１３の構成を示すブロック図である。
【図１２】第３実施形態に係るコンテンツサーバの内部構成を示すブロック図である。
【図１３】第３実施形態に係るコンテンツ評価方法を示す説明図である。
【図１４】第３実施形態の変更例に係るコンテンツサーバの内部構成を示すブロック図である。
【図１５】第３実施形態の変更例に係るサーバ切替え部５１ａの動作を示すタイムチャート図である。
【発明を実施するための最良の形態】
【００１７】［第１実施形態］
（テレビ放送視聴システムの全体構成）
本発明の第１実施形態について、図面を参照しながら説明する。図１は、本実施形態に係るテレビ放送視聴システムの全体構成を示すブロック図である。【００１８】  同図に示すように、本実施形態に係るテレビ放送視聴システムは、モニター１ａを備えた端末装置１と、ＩＰ網４に接続するための終端装置３と、電波による放送を行う放送局６と、ＩＰ網４上に配置されたコンテンツサーバ５とから概略構成される。【００１９】  ＩＰ網４は、通信プロトコルＴＣＰ／ＩＰを用いて種々の通信回線（電話回線やＩＳＤＮ回線、ＡＤＳＬ回線などの公衆回線、専用回線、無線通信網）を相互に接続して構築される分散型の通信ネットワークであり、このＩＰ網４には、１０ＢＡＳＥ−Ｔや１００ＢＡＳＥ−ＴＸ等によるイントラネット（企業内ネットワーク）や家庭内ネットワークなどのＬＡＮなども含まれる。【００２０】  終端装置３は、端末装置１をＩＰ網４に接続するための装置であり、電話回線に接続する際にデジタルデータと音声信号との相互変換を行うモデム等の変復調装置や、ＡＤＳＬ回線に接続する際にＡＤＳＬ信号とＬＡＮ回線との相互変換を行うＡＤＳＬモデム等の信号変換機、ＩＳＤＮ回線に接続するために必要となるＤＳＵやターミナルアダプター等の装置が含まれる。【００２１】  コンテンツサーバ５は、ＷＷＷ（Ｗｏｒｌｄ  Ｗｉｄｅ  Ｗｅｂ）等のドキュメントにおいて、ＨＴＭＬ（Ｈｙｐｅｒ  Ｔｅｘｔ  Ｍａｒｋｕｐ  Ｌａｎｇｕａｇｅ）ファイルや画像ファイル、音楽ファイルなどのネットコンテンツの送信を行うサーバコンピュータ或いはその機能を持ったソフトウェアであり、ＨＴＭＬ文書や画像などの情報を蓄積しておき、これらの情報を、ブラウザなどのクライアントソフトウェアの要求に応じ、インターネットなどのＩＰ網４を通じ送信する。【００２２】（端末装置１）
端末装置１は、ＣＰＵを備えた演算処理装置であり、パーソナルコンピュータ等の汎用コンピュータや、機能を特化させたセットトップボックスにより実現することができる。モニター１ａは、液晶ディスプレイやＣＲＴディスプレイ、プラズマディスプレイ等の表示装置であり、出力インターフェース１９を介して端末装置１に接続され、映像や音声の出力を行う。なお、このモニター１ａは、端末装置１がセットトップボックスである場合には、テレビ受像器とすることができる。【００２３】  具体的に、端末装置１は、電波を介して放送される放送コンテンツを受信するテレビチューナー部１１と、視聴中の放送コンテンツ内におけるＣＭ部分を検出するＣＭ検出部１２と、ＩＰ網４を通じて配信されるネットコンテンツを通信インターフェース１５を介して取得するネットコンテンツ取得部１４と、視聴するチャンネルを制御するチャンネル管理部１３と、ネットコンテンツと放送コンテンツとを切替えてモニター１ａに出力する合成出力部１８と、ネットコンテンツや放送コンテンツを録画するためのハードディスク管理部１６及びハードディスクドライブ１７とを備えている。【００２４】  テレビチューナー部１１は、放送信号を受信し、この受信電波信号を変調し、所定のデジタル信号に変換して出力する、いわゆるチューナー機能を提供する回路であり、周波数を変更することにより、地上波放送や衛星放送、ケーブルテレビ、ラジオ放送等の各チャンネルの放送コンテンツを受信することができる。このテレビチューナー部１１で受信する周波数は、ユーザー操作に基づいてチャンネル管理部１３から出力される制御信号により変更される。また、このテレビチューナー部１１で受信された受信信号は、合成出力部１８に出力されるとともに、ハードディスク管理部１６を通じてハードディスクに記録することができる。【００２５】  なお、本実施形態においてテレビチューナー部１１は、回路に内蔵（或いは付属）するアンテナにより電波を受信するが、例えば、テレビアンテナ用の接続端子を設けて他のアンテナ装置と接続し、同軸ケーブル等を介して放送信号を取得する構成としてもよい。また、このテレビチューナー部１１は、本実施形態では、端末装置１に内蔵固定された回路としているが、例えば、ＵＳＢ等のデータ伝送規格に対応したインターフェースを設け、端末装置１のＵＳＢインターフェース（ＵＳＢ端子）に着脱可能なアダプター装置としてもよい。【００２６】  チャンネル管理部１３は、テレビチューナー部１１で受信される放送コンテンツと、ネットコンテンツ取得部１４で取得されるネットコンテンツとを、どのテレビチャンネルに割り当てるかを決定するとともに、リモコン等によるユーザー操作を受信し、ユーザーが選択したチャンネルに対応したコンテンツについてコンテンツサーバ５に対し配信要求をするとともに、この要求に応じてネットコンテンツ取得部１４で取得されたネットコンテンツを合成出力部１８から出力させるモジュールである。【００２７】  特に、チャンネル管理部１３は、ＣＭ検出部１２によりＣＭが検出されている間、テレビ放送用の周波数が割り当てられていないテレビチャンネルに、ネットコンテンツのうち、１００万円クイズなど、Ｃ��時間中に視聴可能な有意義なネットコンテンツ（以下、「ＣＭ時間長ネット番組」とする。）を割り当てる機能を備えている。このＣＭ時間長ネット番組のチャンネルへの割り当ては、本実施形態では、図２に示すように、ＣＭが検出されたテレビチャンネルに隣接するテレビチャンネルに割り当てる。【００２８】  ＣＭ検出部１２は、放送コンテンツ中のＣＭ部分（開始・終了）を検出するモジュールである。このＣＭ検出部１２によるＣＭの検出方法としては、放送コンテンツ内の音量や輝度を監視し、これらが大きく変動した場合をＣＭの開始・終了として判断する等、種々のものが考えられる。なお、他のＣＭ検出方法としては、例えば、ＩＰ網４上に各チャンネルにおけるＣＭ部分の開始・終了時刻に関するデータを配信するサーバを設置し、このサーバからの通知に従って、ＣＭを特定する方法としてもよい。【００２９】  ネットコンテンツ取得部１４は、ＴＣＰ／ＩＰ等の通信プロトコルにより、終端装置３を通じて、上述したＨＴＭＬや動画配信などのネットコンテンツを受信し、受信したデータをバッファリングのためにキャッシュするモジュールである。通信インターフェース１５は、終端装置３と通信を行うためのインターフェースであり、有線インターフェースや、ＩＥＥＥ  ８０２．１１ｂ等の無線ＬＡＮ規格に従ったＬＡＮカード等の無線インターフェースにより実現される。【００３０】  合成出力部１８は、本実施形態では、端末装置１で実行されるブラウザソフトを起動・実行する機能を備えており、このブラウザソフトにより、ＩＰ網４上のコンテンツサーバ５が配信するＨＴＭＬ（Ｈｙｐｅｒ  Ｔｅｘｔ  Ｍａｒｋｕｐ  Ｌａｎｇｕａｇｅ）ファイルや画像ファイル、音楽ファイルなどをダウンロードし、レイアウトを解析して表示・再生し、Ｗｅｂページ２の閲覧を行うとともに、このＷｅｂページ２内に放送コンテンツやネットコンテンツ（画像や動画）を合成して出力する。具体的には、コンテンツサーバ５が配信するＷｅｂページ（ＨＴＭＬファイル）２内のタグを解析し、画像や動画（放送コンテンツ又はネットコンテンツ）が挿入されるテレビ画面２１を生成し、この部分に映像等を合成する。【００３１】  また、合成出力部１８は、チャンネル管理部１３から取得される切替え制御信号に基づいて、ユーザー操作により選択されたテレビチャンネルに割り当てられた放送コンテンツ又はネットコンテンツをモニター１ａにより出力する機能を備えている。【００３２】（テレビ放送視聴方法）
以上の構成を有するテレビ放送視聴システムを動作させることによって、本発明のテレビ放送視聴方法を実施することができる。図３は、本実施形態に係るテレビ放送視聴システムの動作を示すフローチャート図である。【００３３】  先ず、テレビチューナー部１１によって放送局６から放送される放送コンテンツを受信するとともに、ネットコンテンツ取得部１４によりコンテンツサーバ５からのネットコンテンツ（Ｗｅｂページ２及びＣＭ時間長ネット番組）を取得する（Ｓ１０１）。放送コンテンツは、テレビチューナー部１１により受信され、所定のデジタル信号に変換された後、合成出力部１８及びハードディスク管理部１６に出力されハードディスクドライブ１７に記録することができる。一方、ネットコンテンツは、ネットコンテンツ取得部１４により受信され、ハードディスクドライブ１７に蓄積されるとともに、合成出力部１８のブラウザソフトに送出される。【００３４】  そして、合成出力部１８では、放送コンテンツ又はネットコンテンツと、Ｗｅｂページとが、ブラウザソフトにて合成されて出力される。このとき、ＣＭ検出部１２により、ＣＭ部分の監視が行われ（Ｓ１０２）、視聴チャンネルでＣＭが放送されているか否かの判断を行う（Ｓ１０３）。ＣＭが放送されていなければ、そのまま監視を続ける。一方、ステップＳ１０３においてＣＭが放送されていると判断された場合には、ＣＭ検出部１２によりＣＭが検出されている間、テレビ放送用の周波数が割り当てられていないテレビチャンネル（図２におけるチャンネル７，９，１１…）にＣＭ時間長ネット番組（「１００万円クイズ）を割り当て（Ｓ１０４）、ユーザーの切替え操作により、モニター１ａで閲覧可能な状態となる。【００３５】  なお、本実施形態では、ＣＭが検出されている間にＣＭ時間長ネット番組を割り当てるようにしたが、例えば、ネットコンテンツ番組のハイライトシーンやダイジェストストリーなどの短時間の高価値コンテンツを割り当てるようにしてもよい。【００３６】  このような本実施形態によれば、テレビ放送中のＣＭ放送時間に対応させて、テレビ放送用の周波数が割り当てられていないチャンネルにおいてＣＭ時間中に視聴可能な時間長の有意義な情報を配信することができ、ザッピング視聴によるチャンネル切替え頻度を低減させることができる。特に、本実施形態では、ＣＭが検出されたテレビチャンネルに隣接するテレビチャンネルにネットコンテンツを割り当てるため、ＣＭ放送中、チャンネルを一つずらすだけで上述した有意義な情報を視聴することができ、チャンネル切替え頻度をより低減させることができる。【００３７】［第２実施形態］
次いで、本発明の第２実施形態について説明する。本実施形態では、上述したチャンネル管理部１３が、ザッピング機能とクイズ入賞システム等を備えていることを特徴とする。図４（ａ）は、本実施形態に係るテレビ放送視聴システムのチャンネル管理部１３の構成を示すブロック図である。【００３８】（チャンネル管理部１３の構成）
同図に示すように、上述した第１実施形態におけるチャンネル管理部１３に、チャンネル切替え部１３１と、操作信号受信部１３２と、視聴チャンネル検出部１３３と、ザッピング判定部１３５と、チャンネル割当部１３６と、視聴チャンネル通知部１３４とを設ける。【００３９】  チャンネル割当部１３６は、テレビチューナー部１１で受信される放送コンテンツと、ネットコンテンツ取得部１４で取得されるネットコンテンツとを、どのテレビチャンネルに割り当てるかを決定するモジュールである。特に、このチャンネル割当部１３６は、ＣＭ検出部１２によりＣＭが検出されている間、テレビ放送用の周波数が割り当てられていないテレビチャンネルに、ネットコンテンツのうち、１００万円クイズなどのＣＭ時間長ネット番組を割り当てる機能を備えている。特に、このチャンネルへの割り当ては、本実施形態では、図５に示すように、当該テレビチャンネルにおけるＣＭの放送時間に合わせて、テレビ放送用の周波数が割り当てられていないテレビチャンネルの全てに、同一のＣＭ時間長ネット番組を割り当てる。【００４０】  操作信号受信部１３２は、リモコンやチャンネルボタン、マウス、キーボード等の操作デバイスからの操作信号受信するモジュールであり、この受信された操作信号を視聴チャンネル検出部１３３に出力する。視聴チャンネル検出部１３３は、操作信号受信部１３２により受信された操作信号に基づいて、モニター１ａにどのチャンネルが表示されているかを検出するモジュールであり、この検出された視聴チャンネルは、チャンネル切替え部１３１に出力されて合成出力部１８における合成出力を制御するとともに、視聴チャンネル通知部１３４に出力されて通信インターフェース１５を通じ、コンテンツサーバ５に配信要求として送信される。さらに、この視聴チャンネル通知部１３４による検出結果は、ザッピング判定部１３５に出力され、ザッピング検出に利用される。【００４１】  ザッピング判定部１３５は、一つのテレビチャンネルに対する注視時間を測定し、注視時間が所定時間長よりも長い場合には、そのチャンネルを主チャンネル（視聴チャンネル）と判定し、所定時間長よりも短い場合に、ザッピング視聴であると判定するモジュールである。このザッピングの検出結果はＣＭ検出部１２に出力され、ＣＭ検出部１２は、ザッピング視聴でないと判定されたときに、当該テレビチャンネルにおけるＣＭの検出を行う。これにより、ザッピング中に偶発的に視聴されたチャンネルでのＣＭ放送を無視し、所定時間以上注視された主チャンネル（視聴チャンネル）におけるＣＭ放送のみが検出されることとなる。【００４２】（テレビ放送視聴方法）
そして、このような本実施形態に係るテレビ放送視聴方法は、図４（ｂ）に示す手順により行う。【００４３】  先ず、テレビチューナー部１１によって放送局６から放送される放送コンテンツを受信するとともに、チャンネル管理部１３から配信要求をコンテンツサーバ５に対して送信し、ネットコンテンツ取得部１４によりコンテンツサーバ５からのネットコンテンツ（Ｗｅｂページ２及びＣＭ時間長ネット番組）を取得する（Ｓ２０１）。放送コンテンツは、テレビチューナー部１１により受信され、所定のデジタル信号に変換された後、合成出力部１８及びハードディスク管理部１６に出力されハードディスクドライブ１７に記録することができる。一方、ネットコンテンツは、ネットコンテンツ取得部１４により受信され、ハードディスクドライブ１７に蓄積されるとともに、合成出力部１８のブラウザソフトに送出される。合成出力部１８では、放送コンテンツ又はネットコンテンツと、Ｗｅｂページとが、ブラウザソフトにて合成されて出力される。【００４４】  そして、ザッピング判定部１３５によって、一つのテレビチャンネルに対する注視時間を測定し、ザッピング視聴であるか否かを判定する（Ｓ２０２）。すなわち、注視時間が所定時間長よりも短い場合にザッピング視聴でないと判定し（ステップＳ２０２における”Ｎ”）、当該テレビチャンネルにおけるＣＭの監視を開始する（Ｓ２０３）。【００４５】  ステップＳ２０４において、ＣＭ検出部１２によって、視聴チャンネルでＣＭが放送されているか否かの判断を行う。ＣＭが放送されていなければ、そのまま監視を続ける。一方、ステップＳ１０３においてＣＭが放送されていると判断された場合には、ＣＭ検出部１２によりＣＭが検出されている間、テレビ放送用の周波数が割り当てられていないテレビチャンネル（図５におけるチャンネル７，９，１１…）の全てにＣＭ時間長ネット番組（「１００万円クイズ）を割り当て（Ｓ１０４）、ユーザーの切替え操作により、モニター１ａで閲覧可能な状態とする。【００４６】  これにより、ユーザーが注視しているメインのチャンネルから他のチャンネルへ移行した場合にのみザッピングであると判定し、ＣＭ時間長ネット番組の出力を開始し、ザッピング中のチャンネルからさらに他のチャンネルに移行するような場合には、ＣＭ時間長ネット番組の出力を行わないようにすることができる。【００４７】（クイズ番組視聴方法）
さらに、本実施形態では、上述した視聴チャンネル通知部１３４を利用して、クイズ番組への回答及び入賞処理を行うシステムを構築することができる。図６（ａ）は、本実施形態に係るコンテンツサーバ５の内部構成を示すブロック図である。【００４８】  同図に示すように、コンテンツサーバ５は、ＩＰ網４に接続するための通信インターフェース５１と、アクセス者を特定するためのユーザー判定部５２と、ユーザーが視聴しているチャンネルを判定するチャンネル判定部５３と、１００万円クイズ等のＣＭ時間長ネット番組を配信するコンテンツ配信部５４及びコンテンツデータベース５６と、配信されているクイズ番組の正解番号を取得し、ユーザーが視聴しているチャンネル番号との一致不一致によりクイズに対する回答の正誤を判定する入賞管理部５５と、入賞結果をユーザー毎に管理するユーザーデータベース５７とを有する。【００４９】  通信インターフェース５１は、ＩＰ網４に接続するための通信デバイスであり、パケットデータの送受信により、各ユーザーの端末装置１との間でデータの送受信を行う。【００５０】  ユーザー判定部５２は、端末装置１からユーザーのＩＰアドレスや、ユーザーＩＤ等のユーザー識別子を取得し、ユーザーを特定するモジュールであり、チャンネル判定部５３は、各ユーザーの端末装置１の視聴チャンネル通知部１３４から通知される視聴チャンネルによりユーザーが視聴しているチャンネルを特定するモジュールである。【００５１】  入賞管理部５５は、コンテンツ配信部５４において配信されているクイズ番組の正解番号と、ユーザーが視聴しているチャンネル番号との一致不一致を比較し、一致している場合には正解と判断し、不一致の場合には誤答であると判断し、その正誤の結果をユーザー識別子と対応づけてユーザーデータベース５７に蓄積するモジュールである。【００５２】  このようなシステムによるクイズ番組視聴方法は、以下の手順による。図６（ｂ）は、本実施形態に係るクイズ番組視聴方法の手順を示すフローチャート図である。【００５３】  先ず、同図に示すように、テレビチューナー部１１によって放送局６から放送される放送コンテンツを受信するとともに、ネットコンテンツ取得部１４によりコンテンツサーバ５からのネットコンテンツ（Ｗｅｂページ２及びＣＭ時間長ネット番組）を取得する（Ｓ３０１）。放送コンテンツは、テレビチューナー部１１により受信され、所定のデジタル信号に変換された後、合成出力部１８及びにハードディスク管理部１６出力されハードディスクドライブ１７に記録することができる。一方、ネットコンテンツは、ネットコンテンツ取得部１４により受信され、ハードディスクドライブ１７に蓄積されるとともに、合成出力部１８のブラウザソフトに送出される。合成出力部１８では、放送コンテンツ又はネットコンテンツと、Ｗｅｂページとが、ブラウザソフトにて合成されて出力される。【００５４】  そして、ザッピング判定部１３５によって、一つのテレビチャンネルに対する注視時間を測定し、ザッピング視聴であるか否かを判定する（Ｓ３０２）。すなわち、注視時間が所定時間長よりも短い場合にザッピング視聴でないと判定し（ステップＳ２０２における”Ｎ”）、当該テレ���チャンネルにおけるＣＭの監視を開始する（Ｓ３０３）。【００５５】  ステップＳ２０４において、ＣＭ検出部１２によって、視聴チャンネルでＣＭが放送されているか否かの判断を行う。ＣＭが放送されていなければ、そのまま監視を続ける。一方、ステップＳ１０３においてＣＭが放送されていると判断された場合には、ＣＭ検出部１２によりＣＭが検出されている間、テレビ放送用の周波数が割り当てられていないテレビチャンネル（図５におけるチャンネル７，９，１１…）の全てにＣＭ時間長ネット番組（「１００万円クイズ）を割り当て（Ｓ３０４）、ユーザーの切替え操作により、モニター１ａで閲覧可能な状態とする。【００５６】  この「１００万円クイズ」は、１５秒から３０秒で一問の割合で択一的なクイズ問題を出題しており、その回答番号がテレビ放送用の周波数が割り当てられていないテレビチャンネル（図５における空きチャンネル７，９，１１…）と対応している。クイズに解答しようとするユーザーは、これらの空きチャンネル７，９，１１…のうち正解と思われるチャンネルに切替える。この切替えられたチャンネルは視聴チャンネル通知部１３４によりコンテンツサーバ５に通知される（Ｓ３０５）。【００５７】  コンテンツサーバ５では、ユーザー判定部５２によりユーザーを特定し（Ｓ３０６）、チャンネル判定部５３によりユーザーの回答であるチャンネル番号を判定する（Ｓ３０８）。次いで、入賞管理部５５により、現在出題中の問題の正解と、ユーザーが切替えたチャンネル番号との一致不一致を比較して、正誤の判定を行い（Ｓ３０９）、入賞結果をユーザーデータベース５７に蓄積する（Ｓ３１０）。その後、ステップＳ３０１に戻り、ＣＭ時間がまだ継続しているのであれば、次の出題を行い、ＣＭ時間が終了するのであれば、当該ＣＭ時間長ネット番組を終了する。【００５８】  そして、入賞結果により、正解率等を算出し、例えば高得点者には賞品を発送したり、視聴料等のキャッシュバックやポイント還元等のサービスを行うようにしてもよい。【００５９】  このようなクイズ番組視聴方法によれば、ＣＭ時間を利用して賞品つきのクイズに参加することができ、不要なザッピングを低減させることができる。特に、本実施形態では、注視時間を測定しザッピング視聴であるか否かを判定し、所定時間以上注視していたチャンネルを主チャンネルとし、この主チャンネルにおいてＣＭが放送された場合に、この主チャンネルを基準とした時間帯にＣＭ時間長ネット番組を放送することができ、ザッピングのチャンネル切替え中に放送されていたＣＭが基準とされて不適当なタイミングで有意義な情報の配信が行われるのを防止することができる。【００６０】（視聴率報知番組）
また、本実施形態では、上述した視聴チャンネル通知部１３４を利用して、視聴率報知番組の配信処理を行うシステムを構築することができる。図７は、本実施形態に係るコンテンツサーバ５における視聴率報知番組配信のための構成を示すブロック図である。【００６１】  同図に示すように、コンテンツサーバ５は、上述したＩＰ網４に接続するための通信インターフェース５１、アクセス者を特定するためのユーザー判定部５２、ユーザーが視聴しているチャンネルを判定するチャンネル判定部５３に加えて、視聴率報知番組を配信するコンテンツ配信部５４及びコンテンツデータベース５６と、視聴率をリアルタイムに算出し報知用のコンテンツを生成する視聴率報知部５８とを設ける。【００６２】  視聴率報知部５８は、チャンネル判定部５３により取得された各ユーザーの視聴チャンネルを収集し、現在における各チャンネルの視聴率を算出し、図９に示すような棒グラフ２２ａ〜２２ｈ等で表現された報知用コンテンツ２１１を生成し、コンテンツ配信部５４に送出するモジュールである。コンテンツ配信部５４は、この報知用コンテンツを各端末装置１に配信する。【００６３】  この報知用コンテンツの各端末装置における視聴は、例えば、上述した空きチャンネルのＣＭ時間長ネット番組以外の時間帯に放送してもよいし、視聴率報知用の特別なチャンネルを設けてもよく、さらには図１０に示すような、画面上にポップアップされる特別なインターフェース２４により視聴できるようにしてもよい。また、視聴率の報知については、視聴率の変化率を合わせて表示するようにしてもよい。これによれば、急激に視聴率が上昇したのをユーザーに知らせることができ、ユーザーは、瞬間的な見所を確実に視聴することができる。【００６４】  なお、本実施形態における報知用コンテンツ２１１は、図９に示すように、各チャンネル番号に対応した棒グラフ２２ａ〜２２ｈとなっており、マウス等のポインティングデバイス２３により、任意のチャンネルの棒グラフをクリック等の操作によって選択可能となっている。このポインティングデバイス２３による操作は、上記操作信号受信部１３２に対して操作信号として入力され、選択したチャンネルに切替えられるようになっている。【００６５】  このようなシステムによる視聴率報知番組の視聴方法は、以下の手順による。図８は、本実施形態に係る視聴率報知番組の視聴方法の手順を示すフローチャート図である。なお、同図に示す視聴チャンネル通知（ステップＳ４０１）までの処理は、上述したステップＳ３０１〜Ｓ３０５までの処理と同様である。【００６６】  各端末装置１において現在視聴されているチャンネルは、チャンネルは視聴チャンネル通知部１３４によりコンテンツサーバ５に通知され（Ｓ４０１）、コンテンツサーバ５では、ユーザー判定部５２によりユーザーを特定し（Ｓ４０２）、チャンネル判定部５３によりユーザーが現在視聴しているチャンネル番号を判定する（Ｓ４０３）。次いで、視聴率報知部５８により、現在の視聴率を算出し（Ｓ４０４）、報知用コンテンツ２１１を生成し、コンテンツ配信部５４により各端末に送出し、ユーザー端末側で出力し視聴する（Ｓ４０５）。【００６７】  ユーザー端末側では、報知���コンテンツ２１１により、各チャンネルの視聴率が棒グラフにより表現され、現在最も視聴されているチャンネルを把握することができ、視聴を希望するチャンネルの棒グラフをクリックすることによって、希望するチャンネルに容易に切替えることができる。【００６８】  なお、上述した視聴率は、例えばユーザー毎に関連づけてユーザーデータベースに蓄積し、そのデータをマーケティング等に利用するようにしてもよい。例えば、ユーザーの属性（年齢、性別、職業、住所等）と、そのユーザーの視聴動向を関連づけておき、どのようなユーザー層がどのような番組を見ているのかを調査する。なお、このようなユーザーの視聴動向の収集については、ユーザーに対して承認を得るようにすることが好ましい。この場合には、例えば、視聴動向の収集に協力したユーザーに対して、特典コンテンツなどの配布を行ったりすることにより、視聴動向の収集に協力するインセンティブを促すようにすることが好ましい。【００６９】  さらに、視聴動向のデータとしては、コンテンツの属性（ジャンル、出演者等）をキーワードとし、このキーワードについて、コンテンツの視聴時間に応じた重み付けを行うこともできる。この場合は、特定のコンテンツに対する視聴時間を、当該コンテンツに付与されたキーワード毎に加算し、その加算された時間に応じた重み付けを行う。これによれば、時間長によって簡単に、そのユーザーの視聴動向を算定することができる。なお、このようにキーワード毎に加算された時間長に応じて、キーワードに関係する広告主等に広告料を課金してもよく、また、コンテンツ制作者に対する報酬を計算してもよい。また、その加算された時間用に応じて、ユーザー側にキャッシュバックを実施することもできる。【００７０】［第３実施形態］
次いで、本発明の第３実施形態について説明する。本実施形態では、上述した第１又は２実施形態に係るシステムに、さらにコンテンツ評価機能を付加したことを特徴とする。【００７１】（テレビ放送視聴システムの構成）
図１１及び図１２は、本実施形態のシステムに係る端末装置１のチャンネル管理部１３、及びコンテンツサーバ５の構成を示すブロック図である。【００７２】  本実施形態では、同図に示すように、上述した第１又は２実施形態の端末装置１において、チャンネル管理部１３の視聴チャンネル通知部１３４に視聴操作通知部１３４ａを設ける。そして、本実施形態に係る操作信号受信部１３２は、リモコンやその他の操作手段から受信した操作信号を、視聴チャンネル検出部１３３に送出するとともに、視聴操作通知部１３４ａにも送出する。【００７３】  視聴操作通知部１３４ａは、本実施形態では、視聴チャンネル検出部１３３から視聴チャンネル通知部１３４を通じてコンテンツサーバ５に送出されるネットコンテンツの配信要求に対し、ユーザーによるリモコン操作や通常操作等を視聴操作として付加して送信するモジュールである。この視聴操作とは、コンテンツを視聴する際の、チャンネル切替えや、再生・停止、早送り、巻き戻しなど、ネットコンテンツの再生方向や再生速度を変化させる操作である。【００７４】  一方、コンテンツサーバ５側には、ＩＰ網４を通じて、端末装置１から送信される配信要求に含まれる視聴操作を取得する視聴操作取得部５９と、各端末装置１における視聴操作を集計し、ネットコンテンツの価値評価を行う評価集計部６０と、評価集計部６０による評価結果を蓄積する評価データベース６１とが設けられている。【００７５】  視聴操作取得部５９は、チャンネル判定部５３が受信した配信要求に含まれる視聴操作を抽出して、評価集計部６０に出力するモジュールである。評価集計部６０は、ユーザー毎の再生開始、再生停止、早送り及び巻き戻し等の該ネットコンテンツの再生方向や再生速度の変化点の分布を集計し、各コンテンツの価値評価を行う。この評価集計部６０による評価結果は、コンテンツ毎にユーザーと関連づけられて評価データベース６１に蓄積される。【００７６】（コンテンツ評価方法）
上記価値評価の方法を図１３に示す。先ず、（ａ）に示すように、各ユーザーの巻き戻し開始位置・再生開始位置の分布を集計する。詳述すると、コンテンツの視聴中に高価値な場面（スポーツ中継の好プレーシーンや映画・ドラマのクライマックスシーンなど）が含まれている場合、その場面を再度視聴しようとしたユーザーは、その場面の終了位置（変化点Ａ）で巻き戻しを開始し、当該場面の先頭位置（変化点Ｂ）で再生を開始する傾向がある。この巻き戻し開始位置と再生開始位置の間（ハッチングにて示した部分）を高価値コンテンツとして評価する。このとき、多数のユーザーの視聴操作に基づく変化点は多少の時間幅をもって分布するため、その分布を算出して、分布の中央から所定の時間幅を余分（例えば、５秒程度）にとって、高価値コンテンツの範囲を決定する。【００７７】  また、（ｂ）に示すように、各ユーザーの早送り開始位置・再生開始位置の分布を集計することもできる。詳述すると、コンテンツの視聴中に低価値な場面（ＣＭなど）が含まれている場合、その場面を飛ばして視聴しようとしたユーザーは、その場面の開始位置（変化点Ｃ）で早送りを開始し、当該場面の終了位置（変化点Ｄ）で再生を開始する傾向がある。この早送り開始位置と再生開始位置の間（ハッチングにて示した部分）を低価値コンテンツとして評価する。【００７８】（変更例）
なお、ユーザーによる視聴操作に応じてコンテンツの早送りや巻き戻し、再生開始・停止を行うシステムとして、図１４に示すものを採用することもできる。【００７９】  すなわち、図１４及び図１５に示すように、同一内容の複数のコンテンツにつき時間差をもって配信を行うコンテンツ配信部５４ａ〜ｅを設け、通信インターフェース５１に備えられたサーバ切替え部５１ａにより、ユーザーの端末装置１に対してコンテンツ配信部を選択的に接続するようにする。【００８０】  このサーバ切替え部５１ａは、チャンネル判定部５３から入力される視聴操作に応じて、配信要求に係るコンテンツの再生開始位置を決定し、その決定された位置からの再生が可能なコンテンツ配信部を選択し、端末装置１に接続する。例えば、図１５に示すように、コンテンツ配信部５４ａにて配信されているコンテンツを視聴していたユーザーが、００：２５の時点で２０秒分巻き戻しをして再度００：０５から視聴し直したいとした場合には、コンテンツ配信部５４ａへの接続を、コンテンツ配信部５４ｅに接続し直すことで、２０秒分の巻き戻しを瞬時に行うことができる。【００８１】  なお、このコンテンツ配信部の選択としては、例えば、バッファメモリで吸収できる微小な時間差の範囲でコンテンツの再生を行っているコンテンツ配信部を選択したり、逆にほぼ同時刻に多数の配信要求が集中した場合に、その時刻にリソースに余裕があるコンテンツ配信部を選択したりする等が挙げられる。【００８２】  そして、サーバ切替え部５１ａによる切替え操作の履歴は、チャンネル判定部５３からの視聴操作とともに、視聴操作取得部５９に入力され、評価集計部６０による集計の対象とされる。【００８３】（作用・効果）
このように、端末装置１から、ユーザーによる操作を視聴操作としてコンテンツサーバ５に通知し、コンテンツサーバ５において、視聴操作に基づくネットコンテンツの再生方向や再生速度の変化点を集計し、その分布を算出することによって、巻き戻し操作により繰り返し視聴された部分は価値が高く、逆に早送り操作により十分に視聴されない部分は価値が低いなど、きめ細かいコンテンツ評価を実現することができる。【００８４】  そして、上述した実施形態１及び２では、ＣＭが検出されている間にＣＭ時間長ネット番組を割り当てるようにしたが、例えば、本実施形態で説明した評価集計部６０によって高価値と評価されたコンテンツの範囲を割り当てるようにしてもよい。また、評価集計部６０の低価値コンテンツ評価機能を、ＣＭ検出手段として用いることもできる。
【産業上の利用可能性】
【００８５】  本発明のシステムによれば、表示部を備えた端末装置によって映像や音声を視聴する際、番組中のＣＭ放送とリンクした番組をＩＰ網経由で配信することによって、ＣＭ時間中に視聴可能な有意義な情報を視聴できるようにし、ザッピング視聴に伴うチャンネル切替えの頻度を低減させることができる。
【図１】
2006077728.tif 000002
【図２】
2006077728.tif 000003
【図３】
2006077728.tif 000004
【図４】
2006077728.tif 000005
【図５】
2006077728.tif 000006
【図６】
2006077728.tif 000007
【図７】
2006077728.tif 000008
【図８】
2006077728.tif 000009
【図９】
2006077728.tif 000010
【図１０】
2006077728.tif 000011
【図１１】
2006077728.tif 000012
【図１２】
2006077728.tif 000013
【図１３】
2006077728.tif 000014
【図１４】
2006077728.tif 000015
【図１５】
2006077728.tif 000016
【国際調査報告】
2006077728.tif 000017
2006077728.tif 000018
2006077728.tif 000019
2006077728.tif 000020
2006077728.tif 000021
2006077728.tif 000022